(57)【要約】【課題】  記録媒体の再生状態において、記録媒体の記録領域に関する詳細な情報をユーザに通知することによりユーザの利便性を高める情報再生装置を提供する。【解決手段】  表示制御部は、記録媒体の再生時において記録媒体をイメージしたバーグラフを表示させる。そして、記録媒体をイメージしたバーグラフを用いて記録媒体に記録されている記録領域の容量に応じて分割したブロック図を表示し、記録コンテンツに対応するタイトルＴＴ１〜ＴＴ３および未記録領域を示す空き領域を表示する。これにより、一見して記録媒体の記録領域を判断することが可能となる。【選択図】        図２
2006309853.tif 000002
【特許請求の範囲】
【請求項１】
記録媒体に記録された情報を表示手段に表示させるための情報再生装置であって、
前記記録媒体に対して記録された情報を再生する再生部と、
前記再生部で再生された情報を前記表示手段に表示させるための表示制御部とを備え、
前記表示制御部は、前記記録媒体の再生時において前記記録媒体に記録された画像情報とともに、前記記録媒体に順番に記録されている全ての記録領域および未記録領域をイメージしたバーグラフを表示し、
前記バーグラフは、前記記録媒体に記録されている記録領域の容量に応じて分割されたタイトル情報および必要に応じて表示される未記録領域で構成され、
前記表示制御部は、前記記録媒体の再生時に前記バーグラフにおいて再生している位置を指し示すポイントを表示させる、情報再生装置。
【請求項２】
記録媒体に記録された情報を表示手段に表示させるための情報再生装置であって、
前記記録媒体に対して記録された情報を再生する再生部と、
前記再生部で再生された情報を前記表示手段に表示させるための表示制御部とを備え、
前記表示制御部は、前記記録媒体の再生時において前記記録媒体に記録された画像情報とともに、前記記録媒体に順番に記録されている全ての記録領域および未記録領域をイメージしたバーグラフを表示し、
前記バーグラフは、前記記録媒体に記録されている記録領域の容量に応じて分割されたタイトル情報および必要に応じて表示される未記録領域で構成される、情報再生装置。
【請求項３】
前記表示制御部は、前記記録媒体の再生時に前記バーグラフにおいて再生している位置を指し示すポイントを表示させる、請求項２記載の情報再生装置。
【発明の詳細な説明】
【技術分野】
【０００１】
本発明は、ＤＶＤ（Digital Versatile Disc）等の記録媒体に対して記録された情報を再生する情報再生装置に関する。
【背景技術】
【０００２】
従来より、ＤＶＤ等の記録媒体を再生する情報再生装置に対して記録されたＤＶＤ等を挿入した場合、情報再生装置が起動してＤＶＤ等から管理情報を読み出す。そして、所定のコマンド入力により情報再生装置はいわゆるプレイリスト表示すなわち、記録されたタイトル画面の一覧表示等を実行する機能が搭載されている。特開２０００−１５３６５９号公報においては、記録媒体を挿入するとモニタに各画像データの画像再生時間等が表示される場合が示されている。
【０００３】
しかしながら、これらの機能が実行できるのは、通常ＤＶＤ等が再生状態あるいは記録状態ではない停止している状態である場合である。
【０００４】
しかしながら、情報再生装置の内部状態をユーザが認識しておくことはユーザの使い勝手を良くするとともに利便性に供することになる。
【０００５】
内部状態の通知としてたとえば、特開昭６２−２７３６５４号公報、特開２００２−２２２０６２号公報および特開２００２−１０９８７０号公報においては、予め設けられた表示素子の組合せにより所定の内部状態をユーザに認知させる方式が開示されている。
【特許文献１】特開２０００−１５３６５９号公報
【特許文献２】特開昭６２−２７３６５４号公報
【特許文献３】特開２００２−２２２０６２号公報
【特許文献４】特開２００２−１０９８７０号公報
【発明の開示】
【発明が解決しようとする課題】
【０００６】
しかしながら、内部状態としてたとえば記録媒体の再生状態において、上記公報は、記録媒体の記録領域に関する詳細な情報をユーザに通知していない。
【０００７】
特に、ＤＶＤ−ＲＷ等の記録媒体においては、同一のタイトルデータであってもシーケンシャルに書込が実行されず、ランダム書込が実行される場合もある。ランダム書込が実行された場合においては、同一のタイトルデータであるにも関わらず、連続してデータが記録媒体に記録されていないため画切れが生じたり一瞬フリーズしたりする可能性がある。
【０００８】
ユーザは、そのような場合、タイトルデータが同じであるのに画切れが生じたり画面が一瞬フリーズしたりするため記録媒体が原因ではなく、情報再生装置自体に故障の原因が生じていると誤判断する可能性もある。
【０００９】
本発明は、上記のような問題を解決するためになされたものであって、記録媒体の再生状態において、記録媒体の記録領域に関する詳細な情報をユーザに通知することによりユーザの利便性を高める情報再生装置を提供することを目的とする。
【課題を解決するための手段】
【００１０】
本発明に係る情報再生装置は、記録媒体に記録された情報を表示手段に表示させるための情報再生装置であって、記録媒体に対して記録された情報を再生する再生部と、再生部で再生された情報を表示手段に表示させるための表示制御部とを備え、表示制御部は、記録媒体の再生時において記録媒体に記録された画像情報とともに、記録媒体に順番に記録されている全ての記録領域および未記録領域をイメージしたバーグラフを表示し、バーグラフは、記録媒体に記録されている記録領域の容量に応じて分割されたタイトル情報および必要に応じて表示される未記録領域で構成され、表示制御部は、記録媒体の再生時にバーグラフにおいて再生している位置を指し示すポイントを表示させる。
【００１１】
本発明に係る別の情報再生装置は、記録媒体に記録された情報を表示手段に表示させるための情報再生装置であって、記録媒体に対して記録された情報を再生する再生部と、再生部で再生された情報を表示手段に表示させるための表示制御部とを備え、表示制御部は、記録媒体の再生時において記録媒体に記録された画像情報とともに、記録媒体に順番に記録されている全ての記録領域および未記録領域をイメージしたバーグラフを表示し、バーグラフは、記録媒体に記録されている記録領域の容量に応じて分割されたタイトル情報および必要に応じて表示される未記録領域で構成される。
【００１２】
好ましくは、表示制御部は、記録媒体の再生時にバーグラフにおいて再生している位置を指し示すポイントを表示させる。
【発明の効果】
【００１３】
本発明に係る情報再生装置は、記録媒体の再生時において記録媒体に記録された画像情報とともに、記録媒体に順番に記録されている全ての記録領域および未記録領域をイメージしたバーグラフで表示する。これにより、ユーザは、一見して記録領域のタイトル情報判断することができユーザの利便性に供する。
【発明を実施するための最良の形態】
【００１４】
以下、本発明の実施の形態について図面を参照しながら詳細に説明する。なお、図中同一または相当部分には同一符号を付し、その説明は繰返さない。
【００１５】
図１は、本発明の実施の形態に従う情報再生装置１の概略ブロック図である。
図１を参照して、本発明の実施の形態に従う情報再生装置１は、情報再生装置１全体を制御するための制御部１０と、記録媒体３０を駆動して再生信号を検出するための再生部２０と、制御部１０からの指示に基づいて情報を記憶し、記憶した情報が読み出されるメモリ１５と、図示しない液晶画面等の表示部であるモニタに対して再生部２０で検出した再生信号に基づく画像を表示するとともに再生時において、記録媒体３０の記録領域に関する情報を表示するための表示制御部２５とを備える。
【００１６】
メモリ１５は、再生部２０で検出された再生信号の一定量分をバッファリングしたりするのに使用されるとともに、制御部１０が用いる制御動作プログラム等も記憶しているものとする。
【００１７】
図２は、表示制御部２５が記録媒体３０の再生時においてモニタに表示させる記録媒体３０の記録領域に関する情報を説明する図である。
【００１８】
表示制御部２５は、制御部１０から伝達される記録媒体３０の管理情報に基づいて記録領域に関する情報をモニタに表示させる。管理情報としては、記録媒体のいわゆるビデオマネージャと呼ばれる領域に格納されている。そして、ビデオマネージャには、記録媒体３０の全体の容量値、記録コンテンツのタイトル、記録コンテンツのアドレス情報、記録コンテンツの容量値等が含まれている。
【００１９】
図２を参照して、表示制御部２５は、記録媒体３０の再生時において一例として記録媒体３０をイメージしたバーグラフを表示させる。そして、記録媒体３０をイメージしたバーグラフを用いて記録媒体に記録されている記録領域の容量に応じて分割したブロック図を表示する。
【００２０】
具体的には、本例においては、タイトルＴＴ１〜ＴＴ３の記録コンテンツが記録媒体３０に格納されており、図２に示されるような領域に記録されているものとする。すなわち、先頭の内周部分に相当する領域には所定容量のタイトルＴＴ１の記録コンテンツが格納されている。そして、そのタイトルＴＴ１以降は、空き領域である所定の未記録領域が存在する。そして、その後の領域には、タイトルＴＴ３の記録コンテンツの一部分が格納されている。そして、その後の領域にタイトルＴＴ２の記録コンテンツが格納されている。そして、タイトルＴＴ２の記録コンテンツの後にタイトルＴＴ３の記録コンテンツの残りの部分が格納されているものとする。そして、タイトルＴＴ３の後の領域は、空き領域である未記録領域が存在するものとする。これらは管理情報に含まれている記録コンテンツのアドレス情報により判別が可能である。
【００２１】
したがって、このバーグラフを見れば、記録媒体のどのような記録領域を用いて記録コンテンツが格納されているかが一見して判断することが可能である。
【００２２】
そして、特にタイトルＴＴ３の記録コンテンツは、同じタイトルであるにも関わらず分割されて記録されているためタイトルＴＴ３の記録コンテンツの一部分の領域の再生が実行されて、そして残りの領域の再生が実行される際、画切れが生じたりあるいはフリーズが生じる可能性があるがその際においてもユーザはそれが記録媒体の記録に基づいて生じたことを認知することができる。したがって、情報再生装置に支障があるあるいは故障であると誤認することを防止することができユーザの利便性に供する。また、記録媒体３０の再生時において再生位置をポインタで示すことにより現在の画像情報のタイトルを確認することができるとともに、現在の画像情報の進行状況も確認することができるためユーザが残りの時間の推測等使い勝手も向上させることが可能である。
【００２３】
また、空き領域についてもこのバーグラフにより確認することができるため空き容量の推測も可能である。
【００２４】
なお、本例においては、バーグラフにおいてタイトルのみを付加した情報を表示しているがこれに限られず例えば記録領域の容量値を表示させることも可能である。また、管理情報に含まれている記録したタイトルの日付等の情報も付加することも可能である。
【００２５】
このバーグラフの長さは、記録媒体の全体の容量値に対応させて伸縮させることが可能である。具体的には、所定の容量値に対応してバーグラフの長さを設定しておき、記録媒体の容量の所定の容量値に対する割合に基づいて設定したバーグラフの長さを伸縮させることが可能である。
【００２６】
なお、本例においては、主にＤＶＤを再生する情報再生装置に向けられた構成について説明しているがこれに限られる記録媒体を再生する情報再生装置であれば同様に適用可能である。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】本発明の実施の形態に従う情報再生装置１の概略ブロック図である。
【図２】表示制御部２５が記録媒体３０の再生時においてモニタに表示させる記録媒体３０の記録領域に関する情報を説明する図である。
【符号の説明】
【００２９】
１  情報再生装置、１０  制御部、１５  メモリ、２０  再生部、２５  表示制御部、３０  記録媒体。
【図１】
2006309853.tif 000003
【図２】
2006309853.tif 000004